(57)【要約】【課題】  プレビュー中に再生を行う場合、一般的に再生ボタンもしくは決定キーを押す事で再生する際に、任意の位置から再生を開始する事により、ユーザーがその後の早送り、巻き戻しを行なう必要が無くなるノンリニア録画機を提供する。【解決手段】  録画した番組を一覧表示し、一覧画面１１上で録画番組の一部を再生するプレビュー機能を有するとともに、プレビュー画面１２に表示した再生画面へ移行する際の再生開始ポイント１４〜２０についてユーザーの操作による任意の指定を受ける再生開始ポイント指定手段と、ユーザーが指定した再生開始ポイントを記憶する記憶手段とを備え、ユーザーが指定した再生開始ポイントからの再生を可能とするノンリニア録画機。【選択図】        図１
2006025302.tif 000002
【特許請求の範囲】
【請求項１】
録画した番組を一覧表示し、一覧画面上で録画番組の一部を再生するプレビュー機能を有するとともに、プレビュー画面に表示した再生画面へ移行する際の再生開始ポイントについてユーザーの操作による任意の指定を受ける再生開始ポイント指定手段と、ユーザーが指定した再生開始ポイントを記憶する記憶手段とを備え、ユーザーが指定した再生開始ポイントからの再生を可能とする事を特徴とするノンリニア録画機。
【請求項２】
請求項１記載のノンリニア録画機において、
上記再生開始ポイント指定手段が指定を受ける再生開始ポイントに、少なくとも番組の先頭を選択肢として有する事を特徴とするノンリニア録画機。
【請求項３】
請求項１記載のノンリニア録画機において、
上記再生開始ポイント指定手段が指定を受ける再生開始ポイントに、少なくとも続行を選択肢として有する事を特徴とするノンリニア録画機。
【請求項４】
請求項１記載のノンリニア録画機において、
上記再生開始ポイント指定手段は、任意の場所を選択し再生開始ポイントとして指定を受けることができる事を特徴とするノンリニア録画機。
【請求項５】
請求項１記載のノンリニア録画機において、
上記再生開始ポイント指定手段は、１時間毎の任意の時刻を再生開始ポイントとして指定を受けることができる事を特徴とするノンリニア録画機。
【請求項６】
請求項１記載のノンリニア録画機において、
上記再生開始ポイント指定手段は、プレビュー中の再生位置からの任意の時間だけずらした時刻を再生開始ポイントとして受けることができる事を特徴とするノンリニア録画機。
【請求項７】
請求項１記載のノンリニア録画機において、
上記再生開始ポイント指定手段は、リモコンのキーを用いた再生開始ポイントの指定を受けることができる事を特徴とするノンリニア録画機。
【請求項８】
請求項１記載のノンリニア録画機において、
上記再生開始ポイント指定手段は、一覧表示画面以外のメニューを用いた再生開始ポイントの指定を受けることができる事を特徴とするノンリニア録画機。
【発明の詳細な説明】
【技術分野】
【０００１】
本発明は、ノンリニア録画機であり、特に録画番組一覧にプレビュー画面を持つＨＤＤレコーダ等のノンリニア録画機において、プレビュー視聴中からの再生に関するものである。
【背景技術】
【０００２】
ＨＤＤレコーダ等のノンリニア録画機は、テープを用いた録画機器とは異なり、録画場所へのアクセスに早送りや巻き戻しを必要としないという特徴を持つ。よって、録画した番組は、一般的に一覧として参照とする事が可能である。機器によっては、一覧の中から選択した番組をプレビューとして小画面で表示する事を可能としている。そのプレビュー中の番組を選択して再生させることも可能である。特許文献１では、選択した番組を再生するのか、一時停止するのか、ということについて記載されているが、再生の位置については言及されていない。
【特許文献１】特開２００２−１３５６９６号公報
【発明の開示】
【発明が解決しようとする課題】
【０００３】
プレビュー画面再生中にその番組を再生しようとした場合、プレビュー画面の続きから再生したり、番組の最初から再生したりと様々であり、必ずしもユーザーの希望と一致しない。このため、ユーザーは再生番組に対して早送りや巻き戻しを余儀なくされる。
【０００４】
本発明は、プレビュー中に再生を行う場合、再生ボタンもしくは決定キーを押す事で再生が開始される際に、任意の位置から再生を開始する事により、ユーザーがその後の早送り、巻き戻しを行なう必要が無くなるノンリニア録画機を提供することを目的とする。
【課題を解決するための手段】
【０００５】
本発明１は、録画した番組を一覧表示し、一覧画面上で録画番組の一部を再生するプレビュー機能を有するとともに、プレビュー画面に表示した再生画面へ移行する際の再生開始ポイントについてユーザーの操作による任意の指定を受ける再生開始ポイント指定手段と、ユーザーが指定した再生開始ポイントを記憶する記憶手段とを備え、ユーザーが指定した再生開始ポイントからの再生を可能とするノンリニア録画機である。
【０００６】
また、本発明２は、上記再生開始ポイント指定手段が指定を受ける再生開始ポイントに、少なくとも番組の先頭を選択肢として有するノンリニア録画機である。
【０００７】
そして、本発明３は、上記再生開始ポイント指定手段が指定を受ける再生開始ポイントに、少なくとも続行を選択肢として有するノンリニア録画機である。
【０００８】
更に、本発明４は、上記再生開始ポイント指定手段は、任意の場所を選択し再生開始ポイントとして指定を受けることができるノンリニア録画機である。
【０００９】
また、本発明５は、上記再生開始ポイント指定手段は、１時間毎の任意の時刻を再生開始ポイントとして指定を受けることができるノンリニア録画機である。
【００１０】
そして、本発明６は、上記再生開始ポイント指定手段は、プレビュー中の再生位置からの任意の時間だけずらした時刻を再生開始ポイントとして受けることができるノンリニア録画機である。
【００１１】
更に、本発明は、上記再生開始ポイント指定手段は、リモコンのキーを用いた再生開始ポイントの指定を受けることができるノンリニア録画機である。
【００１２】
また、本発明は、上記再生開始ポイント指定手段は、一覧表示画面以外のメニューを用いた再生開始ポイントの指定を受けることができるノンリニア録画機である。
【発明の効果】
【００１３】
本発明により、プレビュー中に再生を行う場合、一般的に再生ボタンもしくは決定キーを押す事で再生が開始される。この時、任意の位置から再生を開始する事により、ユーザーがその後の早送り、巻き戻しを行なう必要が無くなるノンリニア録画機を得ることができる。
【発明を実施するための最良の形態】
【００１４】
本発明を実施するための最良の形態を説明する。
本発明のノンリニア録画機の実施形態について、図面を用いて説明する。図１は、録画番組表とプレビュー画面の説明図である。図２は、録画番組時刻とプレビュー時刻の説明図である。本発明のノンリニア録画機は、録画した番組を一覧表示し、一覧画面上で録画番組の一部を再生するプレビュー機能を有するとともに、プレビュー画面に表示した再生画面へ移行する際の再生開始ポイントについてユーザーの操作による任意の指定を受ける再生開始ポイント指定手段と、ユーザーが指定した再生開始ポイントを記憶する記憶手段とを備え、ユーザーが指定した再生開始ポイントからの再生を可能とするノンリニア録画機である。
【実施形態１】
【００１５】
実施形態１を説明する。本実施形態は本発明のノンリニア録画機の実施形態の一例である。ＨＤＤレコーダ等のノンリニア録画機は、図１に示すように、一般的に記録した番組を一覧表示する機能を持っている。この一覧表示において、プレビュー画面により録画番組を小画面で表示する機能を持っている機器も多い。このプレビュー画面を表示中の番組を、ユーザーが視聴したいと望んだ場合、再生を行うが、この際再生開始のポイントを指定する事で再生開始後に早送り、巻き戻し等の操作を行う必要が無くなる。プレビュー中に「先頭」ボタン１４を押し、再生開始のポイントを録画した番組の先頭からにする事で、常に最初から再生される安定感を持つ事が出来る。また、プレビュー中に「続行」ボタン１５を押し、再生開始のポイントをプレビューの続き２５（図２参照）からとする事ができ、既に見てしまった場面を２度見る必要が無くなる。また、プレビュー中に指定時刻からの「指定」ボタン１６を押し、再生開始のポイントを番組の指定した時刻からとする事ができ、ユーザーが見る必要がないと判断する場面を視聴する必要が無くなる。この指定時刻は、「設定」ボタン１９から呼び出されるメニューで、録画番組の開始時刻からの分数、終了時刻からの分数、全体時間に対する割合（％）、残り時間の割合（％）等によって指定時刻を設定する。
【００１６】
プレビュー中に「正時」ボタン１７を押し、再生開始のポイントを、録画した番組の１時間毎の指定時刻２４、２６（図２参照）にすることができる。これは、例えば１９時から始まる番組を１８時５９分から録画していた場合に、１９時のポイント２４から再生を開始する事を指す。この指定時刻は、「設定」ボタン１９から呼び出されるメニューで、指定時刻を設定する。再生開始のポイントをプレビュー中の画面から任意の時刻だけずらした時刻２７に設定することができる。このずらす時刻は、「設定」ボタン１９から呼び出されるメニューで、ずらす時刻を設定する。これは、例えばプレビュー画面で再生中の状態から、再生を開始した場合には１０秒前２７から再生を開始する事を指す。これにより、プレビュー画面から再生画面に移行する際に、画像乱れ、もしくはミュート等で視聴に支障が起きる瞬間を無くすことになる。
【００１７】
リモコンのキーに再生開始ポイントを設定することができる。これは例えば、再生ボタンにはプレビュー中の番組の先頭から再生する機能を割り振り、決定ボタンにはプレビュー中の番組の続きから再生する機能を割り振る。これにより、ユーザーはシチュエーションによって、再生開始ポイントを変更する事が出来る。また、この機能はプレビュー画面が表示されていない時にも有効にする事が出来る。複数の機能をメニューから選択可能にすることができる。これは例えば、プレビュー画面で再生中に、どのポイントから再生を行うのかをメニューから選択する形式にする事を指す。これにより、ユーザーはシチュエーションによって、再生開始ポイントを変更する事が出来る。この指定時刻は、設定ボタン１９から呼び出されるメニューで、指定時刻を設定する。
【００１８】
以上説明したように、本発明１によれば、録画されている番組を一覧表示し、一覧画面上で録画番組の一部を再生するプレビュー機能を持ち、プレビュー画面に再生画面へ移行する際の再生開始ポイントを指定する手段と、再生開始ポイントを記憶する手段とを持ち、任意の再生開始ポイントから再生する事を特徴とするノンリニア録画機において、任意の再生開始ポイントから再生する事を特徴とする。これによりユーザーの早送り、巻戻し等の作業が軽減されユーザービリティが上がると共に、消費電力の低減も実現した。
【００１９】
本発明２によれば、録画されている番組を一覧表示し、一覧画面上で録画番組の一部を再生するプレビュー機能を持ち、プレビュー画面に再生画面へ移行する際の再生開始ポイントを指定する手段と、再生開始ポイントを記憶する手段とを持ち、任意の再生開始ポイントから再生する事を特徴とするノンリニア録画機において、任意の再生開始ポイントを指定する手段に、少なくとも番組の先頭を選択肢として持つ事を特徴とする。これによりユーザーの早送り、巻戻し等の作業が軽減されユーザービリティが上がると共に、消費電力の低減も実現した。
【００２０】
本発明３によれば、録画されている番組を一覧表示し、一覧画面上で録画番組の一部を再生するプレビュー機能を持ち、プレビュー画面に再生画面へ移行する際の再生開始ポイントを指定する手段と、再生開始ポイントを記憶する手段とを持ち、任意の再生開始ポイントから再生する事を特徴とするノンリニア録画機において、任意の再生開始ポイントを指定する手段に、少なくとも続行を選択肢として持つ事を特徴とする。これにより同じ場面を２度視聴することが無くなり、ユーザービリティが上がると共に、消費電力の低減も実現した。
【００２１】
本発明４によれば、録画されている番組を一覧表示し、一覧画面上で録画番組の一部を再生するプレビュー機能を持ち、プレビュー画面に再生画面へ移行する際の再生開始ポイントを指定する手段と、再生開始ポイントを記憶する手段とを持ち、任意の再生開始ポイントから再生する事を特徴とするノンリニア録画機において、任意の再生開始ポイントを指定する手段に、任意の場所を選択し設定する手段を持つ事を特徴とする。これによりユーザーにとって不要な情報を視聴する必要が無くなり、ユーザービリティが上がると共に、消費電力の低減も実現した。
【００２２】
本発明５によれば、録画されている番組を一覧表示し、一覧画面上で録画番組の一部を再生するプレビュー機能を持ち、プレビュー画面に再生画面へ移行する際の再生開始ポイントを指定する手段と、再生開始ポイントを記憶する手段とを持ち、任意の再生開始ポイントから再生する事を特徴とするノンリニア録画機において、任意の再生開始ポイントを指定する手段に、１時間毎の任意の時刻を設定する手段を持つ事を特徴とする。これにより番組開始前のユーザーにとって不要な情報を視聴する必要が無くなり、ユーザービリティが上がると共に、消費電力の低減も実現した。
【００２３】
本発明６によれば、録画されている番組を一覧表示し、一覧画面上で録画番組の一部を再生するプレビュー機能を持ち、プレビュー画面に再生画面へ移行する際の再生開始ポイントを指定する手段と、再生開始ポイントを記憶する手段とを持ち、任意の再生開始ポイントから再生する事を特徴とするノンリニア録画機において、任意の再生開始ポイントを指定する手段に、プレビュー中の再生位置からの任意の時間だけずらした時刻を設定する手段を持つ事を特徴とする。これにより、プレビュー画面から再生画面に移行する際に、画像乱れ、もしくはミュート等で視聴に支障が起きる瞬間を無くすことになり、ユーザービリティが上がると共に、消費電力の低減も実現した。
【００２４】
本発明７によれば、再生画面へ移行する際の再生開始ポイントを指定する手段と、再生開始ポイントを記憶する手段とを持ち、任意の再生開始ポイントから再生する事を特徴とするノンリニア録画機において、再生開始ポイントを指定する手段に、リモコンのキーを用いて再生開始ポイントを指定する事を特徴とする。これにより、ユーザーはプレビューの状態に関わらずこれにより番組開始前のユーザーにとって不要な情報を視聴する必要が無くなり、ユーザービリティが上がると共に、消費電力も低減も実現した。
【００２５】
本発明８によれば、再生画面へ移行する際の再生開始ポイントを指定する手段と、再生開始ポイントを記憶する手段とを持ち、任意の再生開始ポイントから再生する事を特徴とするノンリニア録画機において、再生開始ポイントを指定する手段を一覧表示画面以外の、メニューを用いて再生開始ポイントを指定する事を特徴とする。これにより、ユーザーはプレビューの状態に関わらずこれにより番組開始前のユーザーにとって不要な情報を視聴する必要が無くなり、ユーザービリティが上がると共に、消費電力も低減も実現した。
【図面の簡単な説明】
【００２６】
【図１】録画番組表とプレビュー画面の説明図。
【図２】録画番組時刻とプレビュー時刻の説明図。
【符号の説明】
【００２７】
１１…録画番組
１２…プレビュー画面
１３…再生開始ポイント指定ボタン
１４…番組の先頭から再生開始ボタン
１５…プレビュー中の番組の続きから再生開始ボタン
１６…指定時刻から再生開始ボタン
１７…１時間毎の特定時刻から再生開始ボタン
１８…プレビュー中の番組の設定時刻分ずらしたポイントから再生開始ボタン
１９…開始時刻設定ボタン
２０…ボタン消しボタン
２１…録画番組時刻
２２…プレビュー視聴済
２３…録画番組開始時刻
２４…正時
２５…現在のプレビューポイント
２６…正時からのオフセット
２７…現在のプレビューポイントからのオフセット
【図１】
2006025302.tif 000003
【図２】
2006025302.tif 000004